(57)【特許請求の範囲】
【請求項１】
アイコンのイメージと連想されるキーワードを利用してアイコンに基づくパスワードを設定するアイコンパスワード設定装置であって、
全体アイコンのうち複数のアイコンを組み合わせてパスワードとして設定可能な複数のアイコンパスワードを生成するか、または既に保存されているアイコンパスワードを照会するパスワード管理部；
前記アイコンパスワードを構成する個別アイコンのキーワードを組み合わせてキーワード文句を生成するか、または前記アイコンパスワードに対応して既に保存されているキーワード文句を照会するキーワード文句管理部；
生成されたアイコンパスワード及び対応するキーワード文句を有するリストを生成するパスワードリスト生成部；並びに
前記リストから選択されたアイコンパスワードに対してパスワード設定の要請を受け、ユーザパスワードとして設定するユーザパスワード設定部を含むことを特徴とするアイコンパスワード設定装置。
【請求項２】
前記アイコンパスワード設定装置が、スタンドアローン環境のローカルユーザ端末または有・無線ネットワーク環境のサーバーとして構築され得、
前記サーバーとして構築される場合、前記ネットワークを利用して前記リストを伝送した後、前記リストからユーザが選択した前記アイコンパスワードを受信することを特徴とする請求項１に記載のアイコンパスワード設定装置。
【請求項３】
アイコン及びアイコンのイメージから連想される少なくとも一つのキーワードの登録を受けるアイコン登録部を更に含むことを特徴とする請求項１または請求項２に記載のアイコンパスワード設定装置。
【請求項４】
文章成分及び品詞を含む複数のカテゴリーのうち、いずれか一つのカテゴリーに登録を受けた前記キーワードを分類して保存することを特徴とする請求項３に記載のアイコンパスワード設定装置。
【請求項５】
前記キーワードのカテゴリーを利用して、組合せ規則に従って前記アイコンパスワードのキーワード文句を生成することを特徴とする請求項４に記載のアイコンパスワード設定装置。
【請求項６】
ユーザによって選択されたアイコンパスワードに対するユーザ認証の要請を受け、要請されたアイコンパスワードを既に保存されているユーザパスワードと比較して一致する場合、ユーザ認証が成功したと判断するユーザパスワード認証部を更に含むことを特徴とする請求項１または請求項２に記載のアイコンパスワード設定装置。
【請求項７】
アイコンのイメージと連想されるキーワードを利用してアイコンに基づくパスワードを設定するアイコンパスワード設定装置であって、
全体アイコンのうち複数のアイコンを組み合わせてパスワードとして設定可能な複数のアイコンパスワードを生成するか、または既に保存されているアイコンパスワードを照会するパスワード管理部；
前記アイコンパスワードを構成する個別アイコンのキーワードを組み合わせてキーワード文句を生成するか、または前記アイコンパスワードに対応して既に保存されているキーワード文句を照会するキーワード文句管理部；
アイコンが配置されたパスワードの設定画面を利用してアイコンパスワードの選択を受け、前記アイコンパスワードに対応する前記キーワード文句を前記設定画面に提供するパスワード設定管理部；及び
前記設定画面を通じて選択されたアイコンパスワードに対するパスワード設定の要請を受け、ユーザパスワードとして設定するユーザパスワード設定部を含むパスワードサーバーを含むことを特徴とするアイコンパスワード設定装置。
【請求項８】
アイコンパスワード設定装置がアイコンのイメージと連想されるキーワードを利用してアイコンに基づくパスワードを設定するアイコンパスワード設定方法であって、
（ａ）全体アイコンのうち複数のアイコンを組み合わせてパスワードとして設定可能な複数のアイコンパスワードを生成するか、または既に保存されているアイコンパスワードを照会するパスワード管理段階；
（ｂ）前記アイコンパスワードを構成する個別アイコンのキーワードを組み合わせてキーワード文句を生成するか、または前記アイコンパスワードに対応して既に保存されているキーワード文句を照会するキーワード文句管理段階；
（ｃ）生成されたアイコンパスワード及び対応するキーワード文句を有するリストを生成するパスワードリスト生成段階；及び
（ｄ）前記リストから選択されたアイコンパスワードに対するパスワード設定の要請を受け、ユーザパスワードとして保存するユーザパスワード設定段階
を含むことを特徴とするアイコンパスワードの設定方法。
【請求項９】
前記段階（ａ）の前に、前記アイコンパスワード設定装置が、アイコン及びアイコンのイメージから連想される少なくとも一つのキーワードの登録を受けるアイコン登録段階を更に含むことを特徴とする請求項８に記載のアイコンパスワードの設定方法。
【請求項１０】
前記アイコンパスワード設定装置が、文章成分及び品詞を含む複数のカテゴリーのうちいずれか一つのカテゴリーに登録を受けた前記キーワードを分類して保存することを特徴とする請求項９に記載のアイコンパスワードの設定方法。
【請求項１１】
前記段階（ｂ）は、前記アイコンパスワード設定装置がキーワードの前記カテゴリーを利用して、組合せ規則に従って前記アイコンパスワードのキーワード文句を生成する段階であることを特徴とする請求項１０に記載のアイコンパスワードの設定方法。
【請求項１２】
（ｅ）前記アイコンパスワード設定装置が、ユーザによって選択されたアイコンパスワードに対するユーザ認証の要請を受け、要請されたアイコンパスワードを既に保存されているユーザパスワードと比較して一致する場合、ユーザ認証が成功したと判断するユーザパスワード認証段階を更に含むことを特徴とする請求項８〜請求項１１のうちいずれか一項に記載のアイコンパスワードの設定方法。
【請求項１３】
アイコンパスワード設定装置がアイコンのイメージと連想されるキーワードを利用してアイコンに基づくパスワードを設定するアイコンパスワードの設定方法であって、
（ａ）全体アイコンのうち複数のアイコンを組み合わせてパスワードとして設定可能な複数のアイコンパスワードを生成するか、または既に保存されているアイコンパスワードを照会するパスワード管理段階；
（ｂ）前記アイコンパスワードを構成する個別アイコンのキーワードを組み合わせてキーワード文句を生成するか、または前記アイコンパスワードに対応して既に保存されているキーワード文句を照会するキーワード文句管理段階；
（ｃ）アイコンが配置されたパスワードの設定画面を利用してアイコンパスワードの選択を受け、前記アイコンパスワードに対応する前記キーワード文句を前記設定画面に提供するパスワード設定管理段階；及び
（ｄ）前記設定画面を通じて選択されたアイコンパスワードに対するユーザパスワード設定の要請を受け、ユーザパスワードとして保存するユーザパスワード設定段階を含むことを特徴とするアイコンパスワードの設定方法。
【発明の詳細な説明】
【技術分野】
【０００１】
本発明は、アイコンパスワードの設定技術に関し、より詳しくは、アイコンから構成されたパスワードを容易に記憶できるように、アイコンのキーワードとして連想文句を提供し、パスワードとして設定可能なアイコンの組み合わせを推薦するアイコンパスワード設定装置及びアイコンパスワードの設定方法に関する。
【０００２】
本出願は、２０１２年０５月０４日出願の韓国特許出願第１０−２０１２−００４７３４５号に基づく優先権を主張し、該当出願の明細書及び図面に開示された内容は、すべて本出願に援用される。
【背景技術】
【０００３】
ユーザパスワードは、数字、文字、またはこれらの組み合わせから構成され得る。数字パスワードは、キーボタンに数字（例えば、０〜９）と、特殊文字（例えば、＊、＃など）を配置し、ユーザが任意の桁に該当するパスワードを設定するものである。文字パスワードは、キーボタンに文字（例えば、英文字、ハングル）を配置し、ユーザが任意の桁のパスワードを設定するものである。そして、組合せパスワードは、数字と文字が混合されたパスワードである。
【０００４】
ユーザパスワードにおいて最も重要な一つは、セキュリティである。ユーザが設定したパスワードは、ユーザ本人のみが知るべきであり、他人に露出しないようにセキュリティが保持されねばならない。ところが、数字、文字、またはこれらの組み合わせから構成されるパスワードは、キーボタンの個数が制限されるという短所によりセキュリティが脆弱である。例えば、数字の場合、０〜９の１０個に限定され、英文字は、Ａ〜Ｚの２６個のアルファベットに限定される。また、組合せパスワードの場合、数字と英文字の個数を合わせた約４０個前後に限定される。ここで、約４０個のキーボタンは日常生活で常に使用され、一貫した識別力を有するため、誰もが知っている。組合せパスワードは、あまりにも馴染み深く混同されないという長所がある一方、セキュリティが脆弱であるいう短所がある。殆どのパスワードの入力画面は、標準化された識別力を有する約４０個またはそれ以下のキーボタンを表示するためである。例えば、出入口、インターネットのログイン画面、移動通信端末のロック解除画面などでは、誰もが知っている４０個のキーボタンのうち一部が配置されて表示される。また、ユーザのパスワードを入力する過程を第３者が覗き見た場合、約４０個のキーボタンの配置を既に知っている状態では、ユーザが選択した文字を識別することは難しくない。
【０００５】
一方、アイコンパスワードは、アイコンのイメージがキーボタンに表示されるものである。アイコンパスワードのイメージの個数は、組合せパスワードのように４０個前後に限定されず、無限である。例えば、２０個のキーボタンのうち順次選択される４個がパスワードであると仮定すれば、前記組合せパスワードの場合は、４０個から選択された２０個がキーボタンに割り当てられるのに対して、アイコンパスワードの場合は、無限のイメージのうち２０個が選択され、キーボタンに割り当てられ得る。したがって、アイコンパスワードは、出入口、インターネットのログイン画面、移動通信端末のロック解除画面などに異なるイメージで表示され得、そのセキュリティが強化できる。しかし、アイコンのイメージは、馴染みが無く、無限のイメージが存在するため、アイコンパスワードを設定したユーザ本人もパスワードを忘れ易い。
【発明の概要】
【発明が解決しようとする課題】
【０００６】
本発明は、上記のような従来技術を認識した上で創出されたものであって、アイコンキーボタンから組み合わせ可能なアイコンパスワードと、連想されるキーワード文句を提供してアイコンパスワードを推薦し、キーワード文句の意味を参照してアイコンパスワードを設定できるアイコンパスワード設定装置、及びアイコンパスワードの設定方法を提供することを目的とする。
【課題を解決するための手段】
【０００７】
上記の課題を達成するため、本発明によるアイコンのキーワードを用いるアイコンパスワード設定装置は、アイコンのイメージと連想されるキーワードを利用してアイコンに基づくパスワードを設定するアイコンパスワード設定装置であって、全体アイコンのうち複数のアイコンを組み合わせてパスワードとして設定可能な複数のアイコンパスワードを生成するか、または既に保存されているアイコンパスワードを照会するパスワード管理部；前記アイコンパスワードを構成する個別アイコンのキーワードを組み合わせてキーワード文句を生成するか、または前記アイコンパスワードに対応して既に保存されているキーワード文句を照会するキーワード文句管理部；生成されたアイコンパスワード及び対応するキーワード文句を有するリストを生成するパスワードリスト生成部；並びに前記リストから選択されたアイコンパスワードに対するパスワード設定の要請を受け、ユーザパスワードとして設定するユーザパスワード設定部を含む。
【０００８】
本発明において、前記アイコンパスワード設定装置は、スタンドアローン（ｓｔａｎｄａｌｏｎｅ）環境のローカルユーザ端末または有・無線ネットワーク環境のサーバーとして構築され得、前記サーバーとして構築される場合、前記ネットワークを利用して前記リストを伝送した後、前記リストからユーザが選択した前記アイコンパスワードを受信する。
【０００９】
本発明の一態様によれば、前記アイコンパスワード設定装置は、アイコン及びアイコンのイメージから連想される少なくとも一つのキーワードの登録を受けるアイコン登録部を更に含む。
【００１０】
ここで、前記アイコンパスワード設定装置は、文章成分及び品詞を含む複数のカテゴリーのうちいずれか一つのカテゴリーに、登録を受けた前記キーワードを分類して保存する。
【００１１】
また、前記アイコンパスワード設定装置は、前記キーワードのカテゴリーを利用し、組合せ規則に従って前記アイコンパスワードのキーワード文句を生成する。
【００１２】
更に、前記アイコンパスワード設定装置は、ユーザによって選択されたアイコンパスワードに対するユーザ認証の要請を受け、要請されたアイコンパスワードを既に保存されているユーザパスワードと比較して一致する場合、ユーザ認証が成功したと判断するユーザパスワード認証部を更に含む。
【００１３】
本発明の他の実施例によるアイコンパスワード設定装置は、アイコンのイメージと連想されるキーワードを利用してアイコンに基づくパスワードを設定するアイコンパスワード設定装置であって、全体アイコンのうち複数のアイコンを組み合わせてパスワードとして設定可能な複数のアイコンパスワードを生成するか、または既に保存されているアイコンパスワードを照会するパスワード管理部；前記アイコンパスワードを構成する個別アイコンのキーワードを組み合わせてキーワード文句を生成するか、または前記アイコンパスワードに対応して既に保存されているキーワード文句を照会するキーワード文句管理部；アイコンが配置されたパスワードの設定画面を利用してアイコンパスワードの選択を受け、前記アイコンパスワードに対応する前記キーワード文句を前記設定画面に提供するパスワード設定管理部；及び前記設定画面を通じて選択されたアイコンパスワードに対するパスワード設定の要請を受け、ユーザパスワードとして設定するユーザパスワード設定部を含む。
【００１４】
上記の技術的課題を達成するため、本発明によるアイコンのキーワードを利用するアイコンパスワードの設定方法は、アイコンパスワード設定装置がアイコンのイメージと連想されるキーワードを利用してアイコンに基づくパスワードを設定するアイコンパスワードの設定方法であって、（ａ）全体アイコンのうち複数のアイコンを組み合わせてパスワードとして設定可能な複数のアイコンパスワードを生成するか、または既に保存されているアイコンパスワードを照会するパスワード管理段階；（ｂ）前記アイコンパスワードを構成する個別アイコンのキーワードを組み合わせてキーワード文句を生成するか、または前記アイコンパスワードに対応して既に保存されているキーワード文句を照会するキーワード文句管理段階；（ｃ）生成されたアイコンパスワード及び対応するキーワード文句を有するリストを生成するパスワードリスト生成段階；並びに（ｄ）前記リストから選択されたアイコンパスワードに対するパスワード設定の要請を受け、ユーザパスワードとして保存するユーザパスワード設定段階を含む。
【発明の効果】
【００１５】
本発明の一態様によれば、ユーザからセキュリティが強化されたアイコンパスワードの設定を受け、ユーザは、パスワードとして設定した複数のアイコンを選択するとき、設定時に提供されたキーワード文句を連想してアイコンパスワードを容易に思い出すことができる。
【図面の簡単な説明】
【００１６】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図１】本発明の一実施例によるアイコンパスワード設定装置の構成図である。
【図２】本発明の他の実施例によるアイコンパスワード設定装置の内部構造図である。
【図３】本発明の更に他の実施例によるアイコンパスワード設定装置の内部構造図である。
【図４】本発明によるアイコンパスワードの使用状態図である。
【図５】本発明によるアイコンパスワードの使用状態図である。
【図６】本発明によるアイコンパスワードの使用状態図である。
【図７】本発明によるアイコンパスワードの使用状態図である。
【図８】本発明によるアイコンパスワードの設定方法のフロー図である。
【発明を実施するための形態】
【００１７】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。
【００１８】
したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００１９】
＜１．システム構成＞
図１は、本発明の一実施例によるアイコンパスワード設定装置１の概略的な構成図である。
【００２０】
本発明の一実施例によるアイコンパスワード設定装置１は、アイコンパスワードを生成または照会するパスワード管理部１２、アイコンパスワードに対応するキーワード文句を生成または照会するキーワード文句管理部１３、生成されたパスワードとキーワード文句のリストを生成するパスワードリスト生成部１４、リストを通じてユーザが選択したアイコンパスワードをユーザパスワードとして設定するユーザパスワード設定部１５を含んで構成される。
【００２１】
ここで、前記アイコンパスワード設定装置１は、アイコン登録部１１及びユーザパスワード認証部１６を更に含んで構成され得る。
【００２２】
前記アイコンパスワード設定装置１は、スタンドアローン環境の独立端末として構築され得、コンピュータ端末（例えば、デスクトップパソコン、ノートブックパソコンなど）及びスマート端末（例えば、スマートフォン、スマートパッドなど）などを含む。アイコンパスワード設定装置１は、アプリケーションをダウンロードしてインストールし、インストールしたアプリケーションを実行してローカル環境でユーザパスワードの設定及び認証処理を行うことができる。前記アプリケーションは、アイコンパスワード設定装置１におけるロック解除、アプリケーションの実行、及びその他のユーザ認証が必要な処理のために、アイコンに基づくパスワードの設定を受け、設定されたパスワードの認証を行う。前記アプリケーションは、アイコンパスワード設定装置１のオペレーティングシステムとして内蔵されても良い。
【００２３】
望ましくは、アイコンパスワード設定装置１は、アプリケーションを通じて複数のアイコンがキーボタンとして配置されたパスワード設定画面を表示し、ユーザは幾つかのアイコンをユーザパスワードとして選択し、パスワード設定を要請する。すると、アプリケーションは、ユーザによって選択された複数のアイコンをユーザパスワードとしてアイコンパスワード設定装置１に保存する。このとき、ユーザは、パスワードとして選択した複数のアイコンのイメージを選択順に憶えねばならない。
【００２４】
その後、パスワード入力のイベントが発生すれば、前記アプリケーションは、ユーザからアイコンパスワードの入力を受け、既に保存されているユーザパスワードと比較してアイコンが一致する場合、パスワードの認証成功と判断する。
【００２５】
また、前記アプリケーションは、ユーザがパスワードとして設定した複数のアイコンを容易に記憶できるように、それぞれのアイコン毎にキーワードを対応させて保存する。前記キーワードは、アイコンのイメージから直観的に連想できれば良く、特に制限されない。ユーザは、アイコンでパスワードを設定する際、キーワード文句を通じて意味を憶えて、アイコンパスワードを一層容易に憶えることができる。
【００２６】
前記アイコン登録部１１は、アイコンパスワードに該当するアイコンの登録を受けて保存する。それぞれのアイコンは、固有の識別力を有するイメージを有し、前記イメージは、数字、文字、図形、絵などの多様なデザインが可能であり、特に制限されない。
【００２７】
ここで、アイコン登録部１１は、アイコンイメージを憶え易くするために、少なくとも一つのキーワードの登録を受けて保存することができる。また、複数のキーワードが登録される場合、アイコン登録部１１は、文章成分（例えば、主語、述語、修飾語など）、品詞（例えば、名詞、動詞、形容詞、副詞など）などのカテゴリーを用いて、アイコンを分類して保存することができる。前記カテゴリーは、第１桁語、第２桁語、第１分類語、第２分類語などのようにユーザによって定義されたカテゴリーであっても良い。アイコンとアイコンにマッピングされたキーワードの登録が完了すれば、登録されたそれぞれのアイコンは、ユーザのパスワード入力画面にキーボタンとして表示される。
【００２８】
また、アイコン登録部１１は、バージョン管理を通じてサーバーからアイコン及びキーワードのデータをダウンロードし、アップデート処理を通じて最新のデータを登録することができる。
【００２９】
前記パスワード管理部１２は、登録されたそれぞれのアイコンを組み合わせてアイコンパスワードとして使用可能なパスワードを生成することができる。パスワード管理部１２は、パスワード設定のイベントが発生する度にアイコンパスワードを生成するか、または既に保存されているアイコンパスワードを読み込むことができる。例えば、２０個の固有のアイコンが登録され、アイコンパスワードが２桁のアイコンパスワードから構成されると仮定すれば、パスワード管理部１２は、アイコンを組み合わせて２０×１９＝３８０個の固有のパスワードを生成することができる。または、パスワード管理部１２は、アイコンパスワード設定装置１に保存された３８０個のアイコンパスワードを読み込むことができる。３８０個のパスワードは、ユーザによっていずれか一つがユーザパスワードとして選択され得るパスワード候補である。
【００３０】
前記キーワード文句管理部１３は、生成されたそれぞれのアイコンパスワードを構成するアイコンのキーワードを組み合わせてキーワード文句を生成することができる。キーワード文句管理部１３は、アイコンパスワードに含まれたアイコンのキーワードを組み合わせてキーワード文句を生成するか、または既に保存されているアイコンパスワードのキーワード文句を読み込むことができる。上述した例において、３８０個のアイコンパスワードの場合、それぞれのアイコンパスワード毎にキーワード文句が生成され、トータル３８０個のキーワード文句が生成され得る。勿論、アイコンパスワード毎に複数のキーワード文句が生成されても良い。
【００３１】
ここで、キーワード文句管理部１３は、キーワード文句の生成において、アイコンパスワードに含まれたそれぞれのアイコン毎に割り当てられた少なくとも一つ以上のキーワードから任意にキーワードを抽出し、抽出されたキーワードを組み合わせてキーワード文句を生成することができる。また、キーワード文句管理部１３は、それぞれのアイコンに割り当てられた複数のキーワードから組合せ規則に従ってキーワードを抽出し、抽出されたキーワードを組み合わせてキーワード文句を生成しても良い。
【００３２】
例えば、前記組合せ規則は、キーワードのカテゴリーを利用してキーワード文句をより有意な内容に完成することができる。すなわち、２個のアイコンから構成されたパスワード＜アイコン１、アイコン２＞の場合、＜修飾語１、修飾語２＞、＜修飾語、主語＞、＜主語、述語＞、＜修飾語１、述語＞などの組合せ規則が可能である。また、３個のアイコンから構成されたパスワード＜アイコン１、アイコン２、アイコン３＞の場合、＜修飾語１、修飾語２、主語＞、＜主語、修飾語、述語＞などの組合せ規則が可能である。このようなキーワード組合せ規則が言語毎に異なり得ることは当然である。そして、韓国語の場合、意味的な組み合わせのために登録されたキーワードに語尾、助詞などが加えられて変形されたキーワードでキーワード文句を生成する組合せ規則も可能である。尚、前記組合せ規則は、意味的完成度を高めるために用いられるが、キーワード文句は、必ずしも意味的に完成しなくても良い。文脈上、意味的に不完全で意味の無いキーワード文句であっても、ユーザによって多様に意味が解釈され得、むしろ意味の無い方をユーザがより好むこともあり得る。
【００３３】
また、アイコンパスワード設定装置１は、意味的に完成したキーワード文句をアイコンパスワードに対応させて保存することができる。すると、キーワード文句管理部１３は、アイコンパスワードを照会キーにして既に保存されているキーワード文句を照会することができる。また、キーワード文句管理部１３は、それぞれのアイコンパスワードに対して組み合わせられたアイコンのイメージから連想されるキーワード文句の登録を受けることもできる。キーワード文句の登録を受ける場合、より完全な意味のキーワード文句を登録できることは勿論である。
【００３４】
前記パスワードリスト生成部１４は、それぞれのアイコンパスワードに対してキーワード文句を表示し、パスワード候補のリストを生成してアイコンパスワード設定装置１の画面に表示する。すると、ユーザは、アイコンパスワード及びキーワード文句を前記リストを通じて確認し、いずれか一つのパスワード候補を選択し、ユーザパスワードとして登録を要請することができる。すなわち、パスワードリスト生成部１４は、リストを生成してアイコンパスワードを候補としてユーザに推薦することができる。勿論、前記リストは、インターフェースと表示形式が多様であり得、必ずしも全体候補のパスワードを推薦するとは限らず、少なくとも一つのパスワード候補を推薦すれば良い。
【００３５】
前記ユーザパスワード設定部１５は、画面に表示された前記リストを通じて、ユーザからいずれか一つのパスワードの選択を受け、ユーザパスワードとして設定することを要請される。すると、ユーザパスワード設定部１５は、選択されたアイコンパスワードをユーザのパスワードとしてアイコンパスワード設定装置１に保存する。
【００３６】
前記ユーザパスワード認証部１６は、アイコンパスワード設定装置１の画面にパスワード入力画面を表示し、ユーザからアイコンパスワードの選択を受ける。ユーザパスワード認証部１６は、選択されたアイコンパスワードを既に保存されているユーザパスワードと比較して一致する場合、認証成功と判断する。ユーザパスワード認証部１６は、判断処理された認証の結果を画面に表示することができる。
【００３７】
図２は、本発明の他の実施例によるアイコンパスワード設定装置１の内部構造図である。
【００３８】
本発明の他の実施例によれば、図１のアイコンパスワード設定装置１は、有・無線ネットワーク通信に基づいたパスワードサーバー３として構築され得る。そして、パスワードサーバー３は、ネットワークに接続されたユーザ端末２からアイコンパスワードの設定を受け、ユーザ端末２にアイコンパスワードの認証処理サービスを提供することができる。
【００３９】
本発明の他の実施例によるパスワードサーバー３には、図１を用いて上述したアイコンパスワード設定装置１の構成要素が援用され得る。但し、有・無線ネットワークを通じたデータ通信が伴われるという相違点がある。したがって、以下では、前記相違点について説明する。
【００４０】
本発明における前記有・無線ネットワークは、代表的に移動通信網、インターネットのような有・無線公衆網や専用網などのように、多様なプロトコールを利用してインターネットデータ通信が可能なあらゆる通信網を含む。
【００４１】
前記ユーザ端末２は、コンピューター端末（例えば、デスクトップパソコン、ノートブックパソコンなど）及びスマート端末（例えば、スマートフォン、スマートパッドなど）を含む。ユーザ端末２は、ウェッブブラウザーまたは専用アプリケーションを利用してパスワードサーバー３に接続した後、複数のアイコンをユーザパスワードとして選択してパスワードの登録を要請する。このとき、ユーザは、パスワードとして選択したアイコンのイメージを憶えねばならない。
【００４２】
前記パスワードサーバー３は、パスワード管理部１２、キーワード文句管理部１３、パスワードリスト生成部１４、リストを通じてユーザが選択したアイコンパスワードを受信してユーザパスワードとして設定するユーザパスワード設定部１５を含んで構成される。
【００４３】
ここで、前記パスワードサーバー３は、アイコン登録部１１及びユーザパスワード認証部１６を更に含んで構成され得る。
【００４４】
前記パスワードリスト生成部１４は、ユーザ端末２の要請によって、それぞれのアイコンパスワードに対してキーワード文句を表示し、パスワード候補のリストを生成してユーザ端末２に伝送する。すると、ユーザは、アイコンパスワード及びキーワード文句を前記リストを通じて確認し、いずれか一つのパスワード候補を選択してユーザパスワードとして登録を要請することができる。
【００４５】
前記ユーザパスワード設定部１５は、画面に表示された前記リストを通じて、ユーザ端末２からいずれか一つのパスワードの伝送を受け、ユーザパスワードとして設定することを要請される。すると、ユーザパスワード設定部１５は、受信されたアイコンパスワードをパスワードサーバー３にユーザのパスワードとして保存する。
【００４６】
前記ユーザパスワード認証部１６は、ユーザ端末２にパスワード入力画面を提供し、ユーザ端末２からパスワード入力画面を通じてユーザが入力したアイコンパスワードを受信する。ユーザパスワード認証部１６は、受信されたアイコンパスワードを既に保存されているユーザパスワードと比較して一致する場合、認証成功と判断する。そして、ユーザパスワード認証部１６は、判断処理された認証結果をユーザ端末２に返信することができる。
【００４７】
図３は、本発明の更に他の実施例によるアイコンパスワード設定装置１の内部構造図である。
【００４８】
本発明の更に他の実施例によるパスワード設定装置１は、アイコン登録部１１、パスワード管理部１２、キーワード文句管理部１３、パスワード設定管理部１４１、ユーザパスワード設定部１５、及びユーザパスワード認証部１６を含んで構成される。
【００４９】
ここで、本発明の更に他の実施例によるアイコンパスワード設定装置１は、図１のアイコンパスワード設定装置１及び図２のパスワードサーバー３の構成を含む。しかし、図３のアイコンパスワード設定装置１は、図１及び図２とは違って、パスワード候補を推薦せず、ユーザが任意に選択したアイコンパスワードに対してキーワード文句を提供する。したがって、図１及び図２で説明した内容は、図３の説明として援用され得るため、以下では相違点のみについて説明する。
【００５０】
前記パスワード設定管理部１４１は、パスワード設定を要請するイベントが発生すれば、パスワード設定のための画面情報を生成して画面に表示する。パスワード設定画面には、アイコンがキーボタンとして配置されて表示される。パスワード設定管理部１４１は、前記設定画面を通じてユーザがアイコンパスワードを選択する度に、選択されたアイコンパスワードに対応するキーワード文句を生成するか、または照会して画面に表示する。すると、ユーザは、任意にアイコンパスワードを選択しながら対応するキーワード文句の提供を受け、気に入るアイコンパスワードをユーザのパスワードとして設定することができる。
【００５１】
ここで、パスワード設定管理部１４１を、図１のアイコンパスワード設定装置１のように独立端末として仮定して説明したが、図２のパスワードサーバー３の構成要素にもなり得る。パスワードサーバー３にパスワード設定管理部１４１が含まれる場合、パスワード設定管理部１４１は、パスワード設定画面をユーザ端末２に提供し、ユーザ端末２から前記設定画面で選択されたアイコンパスワードの候補を受信し、受信されたアイコンパスワードに対応するキーワード文句を提供する。
【００５２】
図４には、本発明によるアイコンとキーワードとのマッピングテーブルの例を示した。
【００５３】
前記マッピングテーブルは、カテゴリーとして「修飾語１」、「修飾語２」、「主語」、及び「述語」を有する。そして、アイコンイメージから連想されるキーワードは、それぞれのカテゴリーに分類されてアイコンとマッピングされる。図４に例示されたカテゴリーの外に、多様なカテゴリーをもってキーワードの分類が可能であり、アイコンには少なくとも一つ以上のキーワードがマッピングされれば良い。
【００５４】
複数のキーワードが個別アイコンにマッピングされた場合、パスワードサーバー３は、カテゴリーの配列順が定義された組合せ規則を利用して、カテゴリーグループに属したキーワードのうちいずれか一つのキーワードを抽出し、抽出されたキーワードを組み合わせてアイコンパスワードのキーワード文句を生成することができる。
【００５５】
前記マッピングテーブルは、アイコンパスワード設定装置１に保存される。アイコンパスワード設定装置１は、アイコンパスワードの設定イベントが発生する度に、マッピングテーブルを参照してリアルタイムでアイコンパスワードの設定が可能なパスワード候補を生成することができる。または、アイコンパスワード設定装置１は、既に保存されているアイコンパスワードを候補として照会することができる。すると、生成方式または照会方式によって決定されたパスワード候補が、アイコンパスワード設定装置１の画面に表示される。
【００５６】
図５には、本発明によるアイコンパスワード及びキーワード文句の例を示した。
【００５７】
アイコンパスワードは、複数の桁を有する。図５では、説明の便宜上、２桁のアイコンパスワードを例示する。ユーザは、気に入るイメージのアイコン２個を順次選択してアイコンパスワードとして登録するが、それぞれのアイコン毎の固有のイメージがあまりにも多様であるため、ユーザは、自ら選択した２個のアイコンをユーザパスワードとして憶え難い。
【００５８】
それ故に、ユーザは、２個のアイコンが順次組み合わせられたアイコンパスワードと対応するキーワード文句を確認した後、アイコンパスワードをユーザパスワードとして設定すれば、以後、アイコンパスワードを入力するときに思い出し易い。例えば、ユーザが、パレット（ｐａｌｅｔｔｅ）アイコンと自動車アイコンが組み合わせられたアイコンパスワードのイメージを憶えることは難しが、「絵のような自動車」とのキーワード文句を連想しながら憶えることは容易である。ユーザは、以後、それぞれのアイコン毎にキーボタンで配置されたパスワード入力画面から、キーワード文句を通じて自ら設定したアイコンイメージをパスワードとして容易に選択することができる。
【００５９】
アイコンパスワード設定装置１は、アイコンとアイコンのキーワードを保存するか、またはアイコンパスワードとアイコンパスワードのキーワード文句を保存することができる。前者の場合、アイコンパスワード設定装置１は、アイコンパスワードのアイコンに対応するキーワードを照会してキーワード文句を組み合わせる。後者の場合、アイコンパスワード設定装置１は、アイコンパスワードを照会キーにして、対応するキーワード文句を照会することができる。
【００６０】
図６には、本発明によるアイコンパスワード及びキーワード文句が表示されるユーザ端末２の画面の例を示した。
【００６１】
ユーザ端末２は、図１のアイコンパスワード設定装置１になり得、図２のクライアント端末にもなり得る。説明の便宜上、ユーザ端末２が図１のアイコンパスワード設定装置１であり、スマートフォンであると仮定する。
【００６２】
スマートフォンは、一つのアイコンパスワードに対応するキーワード文句を画面に表示する。ユーザは、画面に表示されたアイコンパスワードが気に入る場合、「設定」ボタンを押して画面のアイコンパスワードをユーザパスワードとして設定することを要請することができる。そして、他のアイコンパスワードの推薦を受けたければ、「もっと見る」ボタンを押して他のアイコンパスワード及びキーワード文句を照会することができる。
【００６３】
「もっと見る」ボタンが選択された場合、スマートフォンは、他のアイコンパスワードをリアルタイムで組み合わせるかまたは照会する。スマートフォンは、決まったアイコンパスワードに対応するキーワード文句をリアルタイムで組み合わせるかまたは照会する。そして、スマートフォンは、決まったアイコンパスワードとキーワード文句を画面に表示する。
【００６４】
図６では、パスワード候補が１個のみ表示されるリストを例示したが、全てのパスワード候補が並べられるリストが表示されても良い。
【００６５】
図７には、本発明によるダイヤル方式のパスワード設定画面の例を示した。
【００６６】
説明の便宜上、図１のアイコンパスワード設定装置１が２桁のアイコンパスワードを設定すると仮定する。
【００６７】
アイコンパスワード設定装置１の画面には、ダイヤル方式のインターフェース１００が表示される。ユーザは、アイコンダイヤル１０１をタッチ操作して他のアイコンを照会することができる。アイコンが変更されれば、変更されたアイコンに対応するキーワードが表示される。ユーザは、キーワードダイヤル１０２をタッチ操作して現在アイコンの他のキーワードを照会することができる。ユーザは、アイコンダイヤル１０１及びキーワードダイヤル１０２を操作しながら、所望のアイコンパスワードとキーワード文句を設定した後、「完了」ボタン１０３を押してアイコンパスワードの設定を要請する。すると、アイコンパスワード設定装置１は、要請されたアイコンパスワードをユーザパスワードとして保存する。
【００６８】
＜２．方法の構成＞
本発明の一実施例によるアイコンのキーワードを利用するアイコンパスワードの設定方法は、上述したアイコンパスワード設定システム１の構築を通じて実現することができる。
【００６９】
図８は、本発明の一実施例によるアイコンパスワードの設定方法のフロー図である。
【００７０】
アイコンパスワード設定装置１は、パスワードとして選択され得るアイコン及びアイコンにマッピングされた少なくとも一つのキーワードの登録を受けて保存する（Ｓ１１）。
【００７１】
ここで、アイコンパスワード設定装置１は、登録を受けたキーワードをカテゴリーに分類して保存することができる。アイコンが登録されれば、アイコンパスワード設定装置１は、登録されたアイコンがキーボタンとして表示されるパスワード設定画面を画面に表示することができる。
【００７２】
また、アイコンパスワード設定装置１は、それぞれのアイコンと対応するキーワードを保存する代りに、アイコンパスワードの候補に対応するキーワード文句を保存することも可能である。
【００７３】
また、アイコンパスワード設定装置１のアプリケーションは、バージョン管理を行い、サーバーからアイコン及びキーワードのデータをダウンロードしてアップデート処理を行うことができる。
【００７４】
アイコンの登録が完了した後、パスワード設定のイベントが発生すれば、アイコンパスワード設定装置１は、それぞれのアイコンをパスワードの桁に応じて組み合わせてパスワード候補を生成する（Ｓ１２）。パスワード候補は、登録されたアイコンを利用して作り上げることができる設定可能パスワードの集合である。また、アイコンパスワード設定装置１は、パスワード候補を生成する代りに、既に保存されている候補パスワードを照会することができる。
【００７５】
生成方式または照会方式によってパスワード候補が決定すれば、アイコンパスワード設定装置１は、それぞれのパスワード候補に対応するキーワードを組み合わせてキーワード文句を生成する（Ｓ１３）。
【００７６】
ここで、アイコンパスワード設定装置１は、いずれか一つのアイコンに複数のキーワードがマッピングされた場合、複数のキーワードから任意にキーワードを抽出してキーワード文句を生成することができる。また、前記複数のキーワードがカテゴリーに分類された場合、パスワードサーバー３は、カテゴリーの組み合わせが定義された組合せ規則に従ってキーワードを抽出し、それぞれ抽出されたキーワードを組み合わせてキーワード文句を生成することができる。また、アイコンパスワード設定装置１は、パスワード候補を組み合わせる代りに、既に保存されているキーワード文句を照会することができる。
【００７７】
その後、アイコンパスワード設定装置１は、決定したアイコンパスワードの候補に対応するキーワード文句を有するリストを生成して画面に表示する（Ｓ１４）。すると、ユーザは、アイコンパスワード設定装置１に表示されたリストを通じて、アイコンパスワードを選択する過程でキーワード文句を参照することができる。
【００７８】
ユーザがアイコンパスワードを選択してユーザパスワードとして設定を要請すれば、アイコンパスワード設定装置１は、要請されたアイコンパスワードをユーザパスワードとして保存する（Ｓ１５）。
【００７９】
その後、ユーザによってパスワード入力のイベントが発生すれば、アイコンパスワード設定装置１は、パスワード入力画面を表示し、ユーザから選択を受けたアイコンパスワードを既に保存されているユーザのパスワードと比較して、その結果が一致する場合、認証成功と判断する（Ｓ１６）。
【００８０】
本発明の他の実施例によれば、パスワードサーバー３が段階Ｓ１１〜Ｓ１６の実行主体となり得る。パスワードサーバー３は、サーバー側の管理者からアイコン及びキーワードデータの登録を受ける（Ｓ１１）。ユーザ端末２でパスワード設定のイベントが発生すれば、パスワードサーバー３は、組合せ方式または照会方式によってパスワード候補を決定する（Ｓ１２）。パスワードサーバー３は、組合せ方式または照会方式によってパスワード候補のキーワード文句を決定する（Ｓ１３）。パスワードサーバー３は、ユーザ端末２に少なくとも一つのパスワードとキーワード文句が含まれたリストを提供する（Ｓ１４）。パスワードサーバー３は、ユーザ端末２からパスワード設定の要請を受け、受信されたアイコンパスワードをユーザパスワードとして保存する（Ｓ１５）。その後、ユーザ端末２でパスワード認証のイベントが発生すれば、パスワードサーバー３は、パスワード認証の要請を受け、受信されたアイコンパスワードを既に保存されているパスワードと比較して認証如何を判断する（Ｓ１６）。
【００８１】
また、本発明の更に他の実施例によれば、前記段階（Ｓ１４）でリストを通じてアイコンパスワードが推薦される代りに、アイコンパスワードの設定画面が提供され得る。ユーザは、前記設定画面でアイコンパスワードを候補として入力し、パスワード候補のキーワード文句が前記設定画面に表示される。すると、ユーザは、候補対象のアイコンパスワードを入力する度に受信されたキーワード文句を確認しながら、所望のアイコンパスワードをユーザパスワードとして設定することができる。
【００８２】
上述した実施例において、「部」という用語は、アイコンパスワード設定装置１のハードウェア的区分を意味する用語として使用されたものではない。したがって、複数の構成部が一つの構成部に統合され得、一つの構成部が複数の構成部に分割され得る。また、構成部は、ハードウェアの構成部を意味し得るが、ソフトウェアの構成部を意味することもある。したがって、本発明は、「部」という用語によって特に限定されないということを理解せねばならない。
【００８３】
以上、本発明を限定された実施例と図面によって説明したが、これらによって限定されず、本発明が属する技術分野で通常の知識を持つ者によって本発明の技術思想と特許請求の範囲の均等範囲内で多様な修正及び変形が可能であることは勿論である。
【図１】
0005881893.tif 000002
【図２】
0005881893.tif 000003
【図３】
0005881893.tif 000004
【図８】
0005881893.tif 000005
【図４】
0005881893.tif 000006
【図５】
0005881893.tif 000007
【図６】
0005881893.tif 000008
【図７】
0005881893.tif 000009